【事件の表示】
　特願２０１４−１８０３２０号「冷却回収システム及び方法」拒絶査定不服審判事件〔平成２７年２月１２日出願公開，特開２０１５−　２８４１９号〕について，次のとおり審決する。
【結　論】
　本件審判の請求は，成り立たない。
【理　由】
第１　経緯の概略
　本願は，２００８年９月５日（パリ条約による優先権主張外国庁受理：２００７年９月７日，米国）を国際出願日とする特願２０１０−５２４２０３号の一部を，平成２６年９月４日に新たな特許出願としたものであって，その経緯は，概ね次のとおりである。
　平成２６年１０月　６日　手続補正書
　平成２７年　７月２１日　拒絶理由通知書
　平成２８年　１月２８日　意見書，手続補正書
　平成２８年　６月２８日　拒絶査定
　平成２８年１１月　７日　拒絶査定不服審判請求書，手続補正書
　平成２９年１２月　８日　拒絶理由通知書
　平成３０年　６月１２日　意見書，手続補正書
第２　本願発明について
　本願の請求項１〜１１に係る発明は，平成３０年６月１２日付け手続補正書により補正された特許請求の範囲の請求項１〜１１に記載された事項により特定されるとおりのものであるが，そのうち請求項１に係る発明（以下「本願発明」という。）は，以下の事項により特定されるとおりのものである。
【請求項１】
　冷却コイルと，冷却回収コイルと，冷却流体の戻り配管と，を備える空調システムであって，
　前記冷却コイルは，流体冷却器によって第１の温度よりも低い第２の温度まで冷却された流体を受け取り，前記第１の温度は，前記流体が前記流体冷却器によって受け取られたときの前記流体の温度であり，前記流体は，液相流体であり，
　前記冷却コイルは，空気処理ユニット内を移動する空気に接触するように構成され，これにより前記空気は冷却されると共に前記空気から少なくとも一部の湿気が凝縮され，前記冷却コイルにおける前記冷却及び前記空気からの前記少なくとも一部の湿気の凝縮によって，前記流体が前記冷却コイルの流出口に達したときに前記流体は前記第２の温度よりも高い第３の温度になり，
　前記冷却回収コイルは，前記冷却コイルによって排出されたほぼ前記第３の温度の前記流体の少なくとも一部を受け取るために，流体回収管路によって前記冷却コイルの前記流出口に接続された流入口を有し，前記冷却回収コイルは，前記空気が冷却コイルに接触した後に前記空気処理ユニット内を移動する前記空気に接触するように構成され，
　前記冷却流体の戻り配管は，前記冷却回収コイルから出る前記流体を前記流体冷却器に戻すためのものであり，
　前記空調システムは，複数の弁を運転するように構成され，前記複数の弁の運転によって，前記流体冷却器から前記冷却コイルへの前記流体の流量が連続的に変化され，これにより，前記空気が前記冷却コイルを出るときに除湿されて冷却された空気を生成するように前記受け取られた空気から水分が除去される第１の温度まで前記空気の給気温度が低下され，前記複数の弁の運転によって，さらに，前記冷却回収コイルにおいて前記流体から，前記除湿されて冷却された空気に熱を伝達するように，前記冷却コイルによって前記冷却回収コイルに排出される前記流体の流量が連続的に変化され，これにより前記流体冷却器への冷却要求を低減させると共に，空調された空間における居住者の快適さの必要性を満たすため，プロセス冷房負荷の必要性を満たすため，及び，相対湿度を所定の値よりも低く維持するためのうちの一つ又は複数に必要とされる第２の温度まで前記空気の前記給気温度を上昇させる，空調システム。
第３　拒絶理由の概要
　当審にて，平成２９年１２月８日付けで通知した拒絶理由の概要は，次のとおりである。すなわち，本願発明は，その優先日前に日本国内又は外国において，頒布された次の引用文献に記載された発明に基いて，その優先日前にその発明の属する技術の分野における通常の知識を有する者が容易に発明をすることができたものであるから，特許法２９条２項の規定により特許を受けることができない。
　（引用文献）
　１　特開２００５−２０７７１２号公報
　２　特開２００２−６１９０３号公報
第４　引用文献に記載された事項
　１　引用文献１について
　　（１）　引用文献１には，以下の事項が記載されている。
　・「【請求項２】
　吸気口と給気口とを有するチャンバ内に，冷水循環式の冷却コイルと，加熱コイルと，加湿器と，再熱コイルとを配設してなる空気調和装置であって，
　前記再熱コイルに，前記給気口から供給される処理空気が導入される室内に配設された冷水循環式のドライコイルから排出される「冷水の返り」が供給されるように構成されていることを特徴とする空気調和装置。
…
【請求項４】
　前記冷却コイル及び／又は前記ドライコイルに供給される冷水が，冷凍機によって冷却されるように構成されていることを特徴とする請求項１乃至請求項３のいずれか一に記載の空気調和装置。」
　・「【０００１】
　本発明は，処理対象となる空気の温湿度調整を行う空気調和装置に係り，特に，安定した温湿度制御，冷凍機容量の削減及び省エネルギー化を実現すべく改良を施した空気調和装置に関する。」
　・「【０００２】
　電子工業や精密機械工業の工場，食品保存用の貯蔵庫，実験用動物飼育室，バイオロジカルクリーンルームなどにおいては，温度・湿度などの室内環境を一定に保つ必要がある。このため，このような設備においては，室内の恒温・恒湿を目的とした空気調和装置が設置されている。
【０００３】
　このような空気調和装置として従来から実施されているものの一例を，図７を参照して以下に説明する。すなわち，図中，左側を空気取入口，右側を空気供給口とするハウジング（図示せず）の内部に，取入口側から，外気の塵埃を取り除くプレフィルタ１，中性能フィルタ２，循環する冷水によって空気を冷却する冷却コイル３，循環する温水によって空気を加熱する加熱コイル４，ボイラで発生させた蒸気を空気の通過過程に供給して加湿する蒸気式加湿器５，再熱コイル６，及び，処理空気をハウジング外へ吐出する送風機７が配設されている。
【０００４】
　また，前記冷却コイル３，加熱コイル４，蒸気式加湿器５及び再熱コイル６には，それぞれに供給される冷水，温水及び蒸気等の流量を制御するバルブ８，９，１０，１１が設けられている。また，加湿空気の供給口には，複数の温度及び湿度センサ１２が取り付けられており，これらのセンサ１２による検出値が温湿度制御器１３に入力され，この温湿度制御器１３によって，前記バルブ８〜１１の開度が調整され，供給空気の温度及び湿度があらかじめ定められた一定の値となるように，冷却コイル３内の冷水，加熱コイル４及び再熱コイル６内の温水，蒸気式加湿器５の蒸気の量が制御される構成となっている。
…
【０００９】
　そして，冷却された空気は，必要に応じて，再熱コイル６による再熱が行われ…，送風機７によって供給口から供給される。この再熱は，室内冷却負荷発生量が少ない場合，恒温・恒湿を達成するために必要であり，熱源としては，ボイラー運転による蒸気や温水が使われ，最近では，省エネルギー化を目的として，冷凍機において冷水を製造したことにより発生する冷却水の低温排熱を利用している例も多い…。
…
【００１０】
　しかしながら，冷却水の排熱を利用する方式においても，従来冷却塔から排出（放熱）する熱量を利用しているのみで，冷却コイル３から排出される冷水は，そのまま冷凍機に戻されていたため，冷凍機の負荷量としては大きなものとなり，従って，冷凍機の容量が大きくなり，エネルギー使用量も大きかった。
…
【００１１】
　本発明は，上述したような従来技術の問題点を解決するために提案されたものであり，その目的は，安定した温湿度制御，冷凍機容量の削減及び省エネルギー化を可能とした空気調和装置を提供することにある。」
　・「【００１２】
　本発明は，冷却コイルから排出される「冷水の返り」，あるいは他の系統より排出される「冷水の返り」を再熱コイルの熱源として利用することにより，冷凍機に戻される「冷水の返り」温度を下げて冷凍機の負荷を下げ，冷凍機容量を小さくすると共に，省エネルギー化を図るものである。」
　・「【００１５】
　上記のような構成を有する請求項１又は請求項２に記載の発明においては，空気調和装置内に配設された冷却コイル，あるいは処理空気が導入される室内に設置されたドライコイルからの「冷水の返り」を，再熱コイルの熱源として利用することにより，冷凍機に戻される「冷水の返り」温度を下げることができるので，冷凍機の負荷が低減され，冷凍機容量を小さくすることができると共に，省エネルギー化を図ることができる。」
　・「【００１８】
　…
　上記のような構成を有する請求項４に記載の発明においては，冷却コイル及び／又はドライコイルに供給される冷水の冷却効率を向上させることができる。」
　・「【００２３】
　本発明の空気調和装置によれば，安定した温湿度制御，冷凍機容量の削減及び省エネルギー化を可能とした空気調和装置を提供することができる。」
　・「【００２５】
（１）第１実施形態
（１−１）構成
　図１は，本発明に係る空気調和装置の構成を示す模式図である。すなわち，本実施形態の空気調和装置のハウジング（図示せず）内部には，空気取入口側から，プレフィルタ１，中性能フィルタ２，冷却コイル３，加熱コイル４，気化式加湿器２０，再熱コイル２１，第２の再熱コイル２２，及び，処理空気をハウジング外へ吐出する送風機７が順次配設されている。また，空調空気が供給される室内Ｍには，ドライコイル３０が設けられている。なお，このドライコイル３０は，室内Ｍの湿度を落とさずに，温度（顕熱）のみを下げるために配設されている。」
　・「【００３９】
（２）第２実施形態
　本実施形態は上記第１実施形態の変形例であって，空気調和装置内の冷却コイルの「冷水の返り」を，再熱コイルに供給するように構成したものである。
【００４０】
（２−１）構成
　本実施形態においては，図３に示したように，冷却コイル３には，冷凍機５０から冷水を供給する冷却コイル側冷水供給ライン５１が接続され，この冷却コイル側冷水供給ライン５１には，第５のバルブ５２が設けられている。
【００４１】
　また，前記冷却コイル３には，冷却コイル３から排出された「冷水の返り」を冷凍機５０に戻すための冷却コイル側冷水戻りライン５３が接続され，この冷却コイル側冷水戻りライン５３には，第６のバルブ５４が設けられている。さらに，この冷却コイル側冷水戻りライン５３には，冷却コイル３から排出された「冷水の返り」を再熱コイル２１に供給するための再熱コイル側「冷水の返り」供給ライン５５が設けられ，この再熱コイル側「冷水の返り」供給ライン５５には，第７のバルブ５６が設けられている。
【００４２】
　また，前記再熱コイル２１から前記冷凍機５０には，再熱コイル側冷水戻りライン５７が設けられ，再熱コイル２１において，熱源として利用された「冷水の返り」を冷凍機５０に戻すことができるように構成されている。
【００４３】
（２−２）作用
　以上のような構成を有する本実施形態の空気調和装置は以下のように作用する。なお，本実施形態における空気線図は，上記第１実施形態と同様に，図２に示したようになる。また，本実施形態は，冷却コイル３を稼働させる夏季に有効である。
【００４４】
　すなわち，上記第１実施形態で説明したように，夏季などの空気の除湿が必要な場合には，送風機７を作動させるとともに，冷却コイル側冷水供給ライン５１の第５のバルブ５２を開とする。すると，ハウジングの空気取入口から外気（３４℃，６０％ＲＨ）が流入する。流入した空気は，フィルタ１，２を介して塵埃が濾過された後，冷却コイル３によって冷却され（Ａｓ〜Ｂｓ），気化式加湿器２０によって加湿された後（Ｂｓ〜Ｄｓ，１０．５℃，約１００％ＲＨ），再熱コイル２１に導入される。
【００４５】
　また，本実施形態においては，冷却コイル３から排出される「冷水の返り（１８℃）」を，再熱コイル側「冷水の返り」供給ライン５５を介して，再熱コイル２１に供給することができるように構成されている。そのため，本実施形態においても，上記第１実施形態と同様に，再熱コイル２１において，処理空気は冷却コイル３からの「冷水の返り」によって加温される（Ｄｓ〜Ｅ，１５℃）。そして，さらに，第２の再熱コイル２２によって加温されて（Ｅ〜Ｆ，１９℃），室内Ｍに供給される。
【００４６】
（２−３）効果
　このように，本実施形態によれば，冷却コイルからの「冷水の返り」を，再熱コイルの熱源として利用することができるので，結果的に，冷凍機５０に対して，冷凍機容量の低減と同時に省エネ効果が得られる。」
　・「【図２】
　　　　　　　　　　　　　　　　　　　　　　　　　　　　　　　　　　　　　　　　　　　　　　　　　　　　　　　　　　　　」
　・「【図３】
　　　　　　　　　　　　　　　　　　　　　　　　　　　　　　　　　」
　　（２）　以上を踏まえると，引用文献１の前記記載及び図面の記載によれば，引用文献１には次の発明（以下「引用発明」という。）が記載されているといえる。
　（引用発明）
　「ハウジング内に冷却コイル３，再熱コイル２１とを配設し，再熱コイル側冷水戻りライン５７と，を備える空気調和装置であって，
　前記冷却コイル３には，冷凍機５０から冷水が供給される，第５のバルブ５２が設けられた冷却コイル側冷水供給ライン５１が接続され，前記冷却コイル３から排出された「冷水の返り」を前記冷凍機５０に戻す，第６のバルブ５４が設けられた冷却コイル側冷水戻りライン５３が接続され，
　前記冷却コイル３は，空気調和装置のハウジングの空気取入口から流入する空気を冷却し，これにより前記空気は冷却されると共に前記空気は除湿され，
　前記再熱コイル２１は，前記「冷水の返り」を受け取るために，第７のバルブ５６が設けられた再熱コイル側「冷水の返り」供給ライン５５によって前記冷却コイル３に接続されており，前記再熱コイル２１は，前記冷却コイル３により冷却された空気を加温するように構成され，
　前記再熱コイル側冷水戻りライン５７は，前記再熱コイル２１から出る前記「冷水の返り」を前記冷凍機５０に戻すためのものであり，
　前記空気調和装置は，前記第５〜７のバルブ５２，５４，５６を制御するように構成され，前記第５のバルブ５２の制御によって，前記冷凍機５０から前記冷却コイル３への前記冷水の流量が制御され，これにより，前記空気が前記冷却コイル３を出るときに除湿されて冷却された空気を生成するように前記空気から水分が除去される温度まで前記空気の温度が低下され，前記第６，７のバルブ５４，５６の制御によって，さらに，前記再熱コイル２１において前記「冷水の返り」により，前記除湿されて冷却された空気を加温するように，前記冷却コイル３によって前記再熱コイル２１に排出される前記「冷水の返り」の流量が制御され，これにより前記冷凍機５０の負荷が低減されると共に，電子工業や精密機械工業の工場，食品保存用の貯蔵庫，実験用動物飼育室，バイオロジカルクリーンルームなどにおいて，温度・湿度などの室内環境を一定に保つために必要とされる温度まで前記空気の前記温度を上昇させる，空気調和装置。」
　２　引用文献２に記載された事項
　引用文献２には，以下の事項が記載されている。
　・「【０００１】
…本発明は，熱交換器に加湿手段としての機能若しくはケミカルガス除去手段としての機能，またはその両方の機能を備えた湿膜コイル型空気調和機に関する。」
　・「【０００２】
…電子工業や精密機械工業の工場，食品保存用の貯蔵庫，実験用動物飼育室，バイオロジカルクリーンルームなどにおいては，室内空気の温度，湿度，清浄度等の室内環境を，その室の目的に適合する状態に処理調整する空気調和機が不可欠である。この空気調和機は，主として，空気を加熱冷却するコイル，加湿する加湿器，清浄化するエアフィルタ及び送風機によって構成されている。」
　・「【００１９】
…
１−１．構成
まず，請求項１〜４記載の発明に対応する実施の形態を，図１〜図５を参照して説明する。すなわち，図中，左側を空気取入口，右側を空気供給口とするハウジング１の内部に，空気取入口側から，外気の塵埃を取り除くプレフィルタ２ａ及びフィルタ２，循環する温水によって空気を加熱する第１の加熱コイル３，循環する冷水によって空気を冷却する冷却コイル４，循環する温水によって空気を加熱する加熱コイル５，ハウジング１外へ空気を吐出す送風機６が配設されている。プレフィルタ２ａとしては，比較的大きな粒子を捕集する粗塵用エアフィルタが用いられる。フィルタ２としては，例えば，中性能若しくはＨＥＰＡフィルタが用いられる。
【００２０】第１の加熱コイル３，冷却コイル４，第２の加熱コイル５には，それぞれ温水及び冷水の流量を制御するバルブ７，８，９が設けられている。また，加湿空気の供給口には，供給空気の露点温度を検出する露点温度センサ１０と，供給空気の乾球温度を検出する乾球温度センサ１１とが取り付けられている。
…
【００２３】そして，バルブ７，８及び露点温度センサ１０は，制御器１２に接続されている。また，バルブ８，９及び乾球温度センサ１１は，制御器１３に接続されている。制御器１２は，露点温度センサ１０によって検出される露点温度に基づいて，第１の加熱コイル３の温水の量を制御するように構成されている。制御器１３は，乾球温度センサ１１によって検出される乾球温度に基づいて，第２の加熱コイル５の温水の量を制御するように構成されている。冷却コイル４に対しては，露点温度センサ１０及び乾球温度センサ１１の検出値に基づいて，制御器１２，１３による制御が行われる構成となっている。なお，ポンプ７２は，ケミカルガス除去を行なう場合は常時運転を行なうが，加湿のみを行なう場合は，制御器１３に接続された露点温度センサ１０の検出値に基づいてＯＮ，ＯＦＦ制御が行なわれる構成となっている。」
　・「【００２４】１−２．作用
１−２−１．加熱加湿時
…
【００２６】ハウジング１の空気取入口（Ａ点）から流入した外気は，プレフィルタ２ａ及びフィルタ２を介して塵埃が濾過された後，第１の加熱コイル３によって加熱されるとともに，上記のように水分を保持し，濡れ面となったプレートフィン３０を通過する際に加湿される（Ｂ点）。これにより，図５のＡｗとＢｗとを結ぶ実線で示すように乾球温度及び相対湿度が推移する。加熱加湿された空気は，さらに第２の加熱コイル５によって加熱され（Ｄ点），送風機６によって供給口から供給される。これにより，図５のＢｗとＤｗを結ぶ実線で示すように，絶対湿度は一定で，乾球温度が上昇する顕熱変化が起こる。
【００２７】なお，供給空気の絶対湿度が，室内設定温湿度を満たす値となるように，第１の加熱コイル３における温水の流量は，供給口に設置された露点温度センサ１０によって検出される露点温度値に基づいて，制御器１２がバルブ７の開度を比例制御することによって調節され，第２の加熱コイル５における温水の流量は，供給口に設置された乾球温度センサ１１によって検出される乾球温度値に基づいて，制御器１３がバルブ９の開度を比例制御することによって調節される。
…
【００２９】１−２−２．冷却除湿時
次に，夏季などの空気の冷却除湿が必要な場合について，以下に説明する。まず，送風機６を作動させるとともに，冷却コイル４のバルブ８を開とする。ハウジング１の空気取入口（Ａ点）から流入した外気は，プレフィルタ２ａ及びフィルタ２を介して塵埃が濾過された後，冬季加熱加湿時と同じように，第１の加熱コイル３により加湿とケミカルガス除去が行なわれる（Ｂ点）。これにより，図５のＡｓとＢｓとを結ぶ一点鎖線で示すように乾球温度及び相対湿度が推移する。なお，この場合はバルブ７が閉となっており，第１の加熱コイル３への温水は供給されない。
【００３０】この後，空気は冷却コイル４によって冷却され（Ｃ点），送風機６によって供給口から供給される。これにより，図５のＢｓとＣｓを結ぶ一点鎖線で示すように，乾球温度及び相対湿度が推移する。この場合には，冷却コイル４におけるプレートフィン３０の面の結露水が，均一な濡れ面を形成することから，非常に高いケミカルガス除去性能が得られる。
【００３１】冷却コイル４における冷水の流量は，供給口に設置された露点温度センサ１０及び乾球温度センサ１１に基づいて，供給空気の絶対湿度が，室内設定温湿度を満たす値となるように，制御器１２，１３がバルブ８の開度を比例制御することによって調整される。なお，室内温度との関係で，さらに加熱が必要となる場合には，バルブ９が開とされて，上述と同様に，第２の加熱コイル５による加熱が行なわれる（Ｄ点）。これにより，図５のＣｓとＤｓを結ぶ一点鎖線で示すように，絶対湿度は一定で，乾球温度が上昇する顕熱変化が起こる。
【００３２】また，冬季及び夏季以外の中間季においては，外気と室内設定温度に合わせて，露点温度センサ１０の検出値に基づく第１の加熱コイル３及び冷却コイル４の流量制御，乾球温度センサ１１の検出値に基づく冷却コイル４の流量制御及び第２の加熱コイル５の流量制御が行なわれる。」
第５　対比及び判断
　１　対比
　　（１）　本願発明と引用発明とを，その有する機能に照らして対比すると，引用発明の「冷却コイル３」，「再熱コイル２１」，「空気調和装置」は，それぞれ，本願発明の「冷却コイル」，「冷却回収コイル」，「空調システム」に相当する。
　　（２）　引用発明の「冷却コイル３」は，「冷凍機５０から冷水が供給される…冷却コイル側冷水供給ライン５１が接続され（る）」ところ，「冷凍機５０」は，戻された「冷水の返り」をより低い温度まで冷却すること，「冷水」は「液相流体」であることは技術的に明らかである。
　よって，引用発明は本願発明と同様に，「前記冷却コイルは，流体冷却器によって第１の温度よりも低い第２の温度まで冷却された流体を受け取り，前記第１の温度は，前記流体が前記流体冷却器によって受け取られたときの前記流体の温度であり，前記流体は，液相流体であ（る）」ものである。
　　（３）　引用発明の「空気調和装置のハウジング」内の部分は，その機能に照らして，本願発明の「空気処理ユニット」に相当する。
　そして，引用発明の「冷却コイル３」は，「空気調和装置のハウジングの空気取入口から流入する空気を冷却し，これにより前記空気は冷却されると共に前記空気は除湿され（る）」ものであるから，これにより，供給された「冷水」の温度が上昇し，「冷水の返り」の温度（第３の温度）は供給時の「冷水」の温度（第２の温度）より高くなることは明らかである。
　よって，引用発明は本願発明と同様に，「前記冷却コイルは，空気処理ユニット内を移動する空気に接触するように構成され，これにより前記空気は冷却されると共に前記空気から少なくとも一部の湿気が凝縮され，前記冷却コイルにおける前記冷却及び前記空気からの前記少なくとも一部の湿気の凝縮によって，前記流体が前記冷却コイルの流出口に達したときに前記流体は前記第２の温度よりも高い第３の温度にな（る）」ものである。
　　（４）　引用発明の「冷水の返り」，「再熱コイル側「冷水の返り」供給ライン５５」は，その機能に照らして，それぞれ，本願発明の「前記冷却コイルによって排出されたほぼ前記第３の温度の前記流体」，「流体回収管路」に相当する。
　そして，引用発明の「再熱コイル２１」は，「前記「冷水の返り」を受け取るために，再熱コイル側「冷水の返り」供給ライン５５によって前記冷却コイル３に接続されており，前記再熱コイル２１は，前記冷却コイル３により冷却された空気を加温するように構成され（る）」ものであるから，引用発明は本願発明と同様に，「前記冷却回収コイルは，前記冷却コイルによって排出されたほぼ前記第３の温度の前記流体の少なくとも一部を受け取るために，流体回収管路によって前記冷却コイルの前記流出口に接続された流入口を有し，前記冷却回収コイルは，前記空気が冷却コイルに接触した後に前記空気処理ユニット内を移動する前記空気に接触するように構成され（る）」ものである。
　　（５）　引用発明の「再熱コイル側冷水戻りライン５７」は，「前記再熱コイル２１から出る前記「冷水の返り」を前記冷凍機５０に戻すためのものであ（る）」から，本願発明の「冷却流体の戻り配管」に相当する。
　　（６）　引用発明の「空気調和装置」は，「前記第５〜７のバルブ５２，５４，５６を制御するように構成され，前記前記第５のバルブ５２の制御によって，前記冷凍機５０から前記冷却コイル３への前記冷水の流量が制御され，これにより，前記空気が前記冷却コイル３を出るときに除湿されて冷却された空気を生成するように前記空気から水分が除去される温度まで前記空気の温度が低下され，前記第６，７のバルブ５４，５６の制御によって，さらに，前記再熱コイル２１において前記「冷水の返り」により，前記除湿されて冷却された空気を加温するように，前記冷却コイル３によって前記再熱コイル２１に排出される前記「冷水の返り」の流量が制御され（る）」ものである。
　その制御内容からすると，引用発明の「第５〜７のバルブ５２，５４，５６」は本願発明の「複数の弁」に対応し，引用発明は本願発明と，「複数の弁を運転するように構成され，前記複数の弁の運転によって，前記流体冷却器から前記冷却コイルへの前記流体の流量が制御され，これにより，前記空気が前記冷却コイルを出るときに除湿されて冷却された空気を生成するように前記受け取られた空気から水分が除去される第１の温度まで前記空気の給気温度が低下され，前記複数の弁の運転によって，さらに，前記冷却回収コイルにおいて前記流体から，前記除湿されて冷却された空気に熱を伝達するように，前記冷却コイルによって前記冷却回収コイルに排出される前記流体の流量が制御され（る）」点で共通するといえる。
　そして，引用発明は当該制御により，「冷凍機５０の負荷が低減され（る）」ものであるから，本願発明と同様に，「流体冷却器への冷却要求を低減させる」ものである。
　さらに，引用発明は「電子工業や精密機械工業の工場，食品保存用の貯蔵庫，実験用動物飼育室，バイオロジカルクリーンルームなどにおいて，温度・湿度などの室内環境を一定に保つために必要とされる温度まで前記空気の前記温度を上昇させる」ものであるが，その趣旨に照らせば，引用発明の当該制御は，本願発明と同様に，「空調された空間における居住者の快適さの必要性を満たすため，プロセス冷房負荷の必要性を満たすため，及び，相対湿度を所定の値よりも低く維持するためのうちの一つ又は複数に必要とされる第２の温度まで前記空気の前記給気温度を上昇させる」制御といえる。
　　（７）　そうすると，本願発明と引用発明とは，以下の点で一致し，相違するといえる。
　（一致点）
　「冷却コイルと，冷却回収コイルと，冷却流体の戻り配管と，を備える空調システムであって，
　前記冷却コイルは，流体冷却器によって第１の温度よりも低い第２の温度まで冷却された流体を受け取り，前記第１の温度は，前記流体が前記流体冷却器によって受け取られたときの前記流体の温度であり，前記流体は，液相流体であり，
　前記冷却コイルは，空気処理ユニット内を移動する空気に接触するように構成され，これにより前記空気は冷却されると共に前記空気から少なくとも一部の湿気が凝縮され，前記冷却コイルにおける前記冷却及び前記空気からの前記少なくとも一部の湿気の凝縮によって，前記流体が前記冷却コイルの流出口に達したときに前記流体は前記第２の温度よりも高い第３の温度になり，
　前記冷却回収コイルは，前記冷却コイルによって排出されたほぼ前記第３の温度の前記流体の少なくとも一部を受け取るために，流体回収管路によって前記冷却コイルの前記流出口に接続された流入口を有し，前記冷却回収コイルは，前記空気が冷却コイルに接触した後に前記空気処理ユニット内を移動する前記空気に接触するように構成され，
　前記冷却流体の戻り配管は，前記冷却回収コイルから出る前記流体を前記流体冷却器に戻すためのものであり，
　前記空調システムは，複数の弁を運転するように構成され，前記複数の弁の運転によって，前記流体冷却器から前記冷却コイルへの前記流体の流量が制御され，これにより，前記空気が前記冷却コイルを出るときに除湿されて冷却された空気を生成するように前記受け取られた空気から水分が除去される第１の温度まで前記空気の給気温度が低下され，前記複数の弁の運転によって，さらに，前記冷却回収コイルにおいて前記流体から，前記除湿されて冷却された空気に熱を伝達するように，前記冷却コイルによって前記冷却回収コイルに排出される前記流体の流量が制御され，これにより前記流体冷却器への冷却要求を低減させると共に，空調された空間における居住者の快適さの必要性を満たすため，プロセス冷房負荷の必要性を満たすため，及び，相対湿度を所定の値よりも低く維持するためのうちの一つ又は複数に必要とされる第２の温度まで前記空気の前記給気温度を上昇させる，空調システム。」
　（相違点）
　本願発明は「複数の弁を運転するように構成され，前記複数の弁の運転によって，前記流体冷却器から前記冷却コイルへの前記流体の流量が連続的に変化され，…，前記複数の弁の運転によって，さらに，…，前記冷却コイルによって前記冷却回収コイルに排出される前記流体の流量が連続的に変化され（る）」のに対し，引用発明においては，「第５〜７のバルブ５２，５４，５６を制御するように構成され（る）」ものであるが，これらのバルブの制御により，流量が連続的に変化されるものであるか不明である点。
　２　判断
　　（１）　前記相違点について検討するに，引用発明は，「電子工業や精密機械工業の工場，食品保存用の貯蔵庫，実験用動物飼育室，バイオロジカルクリーンルームなどにおいて，温度・湿度などの室内環境を一定に保つために必要とされる温度まで前記空気の前記温度を上昇させる」ものであるところ，引用文献１によれば，「その目的は，安定した温湿度制御，冷凍機容量の削減及び省エネルギー化を可能とした空気調和装置を提供することにある。」（【００１１】）もので，「安定した温湿度制御，冷凍機容量の削減及び省エネルギー化を可能とした空気調和装置を提供することができる。」（【００２３】）といった効果を奏するものである。
　ところで，空気調和装置のハウジングの空気取入口から流入する外気の温度・湿度は変動するものであるから，安定した温湿度制御をするためには，変動する外気の温度・湿度（変動する負荷）に応じて冷却コイルへ冷水の流量を調整する必要があることがわかる。また，室内の設定温度・湿度が変更されるといったことも当然想定されることであって，そのためには，それに応じて冷却コイルへの冷水や再熱コイルへの冷水の返りの流量を調整する必要があることも，当業者が容易に理解することができる。
　このように，引用文献１には，冷却コイルへの冷水や再熱コイルへの冷水の返りの流量を連続的に変化させることの示唆が認められる。
　また，引用文献１には，制御バルブ８〜１１の開度調整により，供給空気の温度，湿度を定められた一定の値となるように，流量を制御する従来の空気調和機が記載されているところ（【０００３】〜【０００９】，図７，８），従来の空気調和機においても外気の温度・湿度の変動や室内の設定温度・湿度の変更に応じて，このような制御を行っているものと解される。こうした従来の空気調和機を前提とした引用発明も同様に，第５〜７のバルブ５２，５４，５６の開度調整を行っていることが窺われる。
　そして，引用文献２には，引用発明と同様の構成を備えた空気調和機において，バルブ８，９の開度を比例制御することで温度や湿度を制御する点が記載されている（前記第４・２）。
　そうすると，引用発明において，第５〜７のバルブ５２，５４，５６の開度を制御することにより，冷却コイル３への冷水や再熱コイル２１への冷水の返りの流量を連続的に変化させることについて，動機付けが十分に認められ，引用発明に引用文献２に記載された事項を適用することによって，前記相違点に係る本願発明の構成とすることは，当業者が容易に想到することができたものと認められる。
　　（２）　本願発明の奏する効果をみても，当業者であれば引用発明及び引用文献２に記載された事項から予測可能な範囲内のものであって，格別ではない。
　　（３）　請求人の主張について
　　　ア　請求人は，概ね，次のように主張している。すなわち，
　・本願発明は「前記空調システムは，複数の弁を運転するように構成され，前記複数の弁の運転によって，前記流体冷却器から前記冷却コイルへの前記流体の流量が連続的に変化され，これにより，前記空気が前記冷却コイルを出るときに除湿されて冷却された空気を生成するように前記受け取られた空気から水分が除去される第１の温度まで前記空気の給気温度が低下され，前記複数の弁の運転によって，さらに，前記冷却回収コイルにおいて前記流体から，前記除湿されて冷却された空気に熱を伝達するように，前記冷却コイルによって前記冷却回収コイルに排出される前記流体の流量が連続的に変化され（る）」ことを発明特定事項としているところ，引用文献１の図３に示されるバルブ５２，５４，５６は，それらが設けられているラインを開閉することはできる（即ち，完全開状態と完全閉状態のみ可能）が，上記発明特定事項で規定するような流量を連続的に変化させる機能については，引用文献１に記載も示唆もされていない。
　・引用文献１の図３の構成において，バルブ５２，５４，５６いずれかを連続的に変化させて水流を制限すると，冷凍機５０への水流の流量が低下するため，条件によっては冷凍機５０が機能しなくなる可能性がある。引用文献１の図３に示される構成においては，冷却コイル３への水流の流量が低下した際に冷凍機５０への十分な水流を確保するためのバイパスラインが設けられていないため，当業者が，冷凍機５０と冷却コイル３との間に設けられたバルブ５２を連続的に変化させることには，阻害要因が存在する。引用文献１の図３の構成におけるバルブ５４，５６が，仮に連続的に変化する機能を有していたとしても，それらのバルブを連続的に変化させる必要性がないため，引用文献１には，上記発明特定事項について記載も示唆もされていない。
　しかしながら，既に述べたように，引用文献１には，外気の温度・湿度，室内の設定温度・湿度の変更に応じた安定した温湿度制御するために，流量を連続的に変化させることの示唆が認められる。
　そして，引用発明において，冷却コイル３への冷水の流量に応じて冷凍機５０の能力を調整することが技術的に可能であることは明らかであるし，例えば，バイパスライン（引用文献１図３の第２の再加熱コイル２２に係る流路参照）のような手段により対応可能であることも，当業者であれば容易に理解できるもので，流量を連続的に変化させることを妨げる事情ではない。
　　　イ　請求人は，引用文献１の図７に示される従来の空気調和機の構成では，冷却コイル３と再熱コイル６との間のラインに設けられたバルブを調整する制御システムは設けられていないため，引用発明において第７のバルブ５６を連続的に変化させることが当業者にとって容易であったとはいえない，引用文献１には，再熱コイルに温度の高い「冷水の返り」を選択的に供給するように構成する旨が記載されているから，引用文献１のバルブが，完全開状態と完全閉状態のみ可能であることを示唆するものである，などと主張する。
　しかしながら，引用発明，従来の空気調和機とも，外気の温度・湿度の変動や室内の設定温度・湿度の変更に応じた安定した温湿度制御を行うことを企図しているものと認められ，構造・機能の類似性に照らして，従来の空気調和機に関する制御バルブの構成は，引用発明において十分に参考になるものである。
　また，再熱コイルに温度の高い「冷水の返り」を選択的に供給することが，当然に，バルブの全開状態と完全閉状態のみ可能であることを意味するものではない。
　　　ウ　請求人は，引用文献２に記載のフローシステムは，バルブ８，９が，加熱コイルと冷却コイルに流れる流体を，独立・分離して制御するものであるため，引用文献１に記載のシステムに組み合わせることは技術的にできない，仮に組み合わせることが技術的には可能であったとしても，引用文献２に記載のシステムは，あるコイルから他のコイルへ流れる流体を制御するものではないため，引用文献２にも，上記発明特定事項について記載も示唆もされていない，などと主張している。
　しかしながら，既に述べたとおり，引用文献１には流量を連続的に変化させることの示唆が認められ，従来の空気調和機の構成を踏まえれば，引用発明において第５〜７のバルブ５２，５４，５６の開度調整を行っていることも窺われる。
　そして，引用文献２に記載された空気調和機は，引用発明と同様の構成を備えており，構造・機能の類似性に照らして，十分に組み合わせ可能な技術である。引用文献２に上記発明特定事項のすべてに関し記載されていなくとも，流量を連続的に変化させることの示唆が認められる引用発明において，上記発明特定事項を備えることは，当業者にとって格別困難ではない。
　　（４）　そうすると，引用発明に引用文献２に記載された事項を適用し，前記相違点に係る本願発明の構成とすることは，当業者が容易に想到できたものである。
　３　以上のとおりであるから，本願発明は，引用発明及び引用文献２に記載された事項に基いて，当業者が容易に発明をすることができたものである。
第６　むすび
　以上のとおり，本願発明は，引用発明及び引用文献２に記載された事項に基いて，当業者が容易に発明をすることができたものであるから，特許法２９条２項の規定により，特許を受けることができない。
　そして，本願発明（請求項１に係る発明）が特許を受けることができない以上，その余の請求項に係る発明について検討するまでもなく，本願は拒絶すべきものである。
　よって，結論のとおり審決する。